(57)【要約】【課題】例えば、車椅子等に乗っている人にとって、使い勝手のよい、トイレ等の場所に用いるのに適した、扉装置を提供する。【解決手段】開閉口（入出口）Ｅの上部に設けられたレール手段２と、レール手段２に沿って転動する吊り車４を上部に有する扉体３とを備え、レール手段２を、レール手段２の開閉口（入出口）Ｅの端部ｅＥ側に位置する一端ｅ２ａに比べて、レール手段２の開閉口（入出口）Ｅの端部ｅＥ側に位置する一端ｅ２ａの反対側の他端ｅ２ｂが低くなるように、傾斜するように設けた。【選択図】図２
2005307503.tif 000002
【特許請求の範囲】
【請求項１】
開閉口の上部に設けられたレール手段と、
前記レール手段に沿って転動する吊り車を上部に有する扉体とを備え、
前記レール手段を、前記レール手段の前記開閉口の端部側に位置する一端に比べて、前記レール手段の前記開閉口の端部側に位置する一端の反対側の他端が低くなるように、傾斜するように設けた、扉装置。
【請求項２】
前記レール手段の前記開閉口の端部側に位置する一端の近傍位置に、扉体牽引手段を設け、
前記牽引手段の扉体を引っ張る力を、前記扉体が、重力により、前記レール手段に沿って、前記レール手段の前記開閉口の端部側に位置する一端の反対側の他端に移動する力に比べ、やや弱い力関係を満たすようにした、請求項１に記載の扉装置。
【請求項３】
前記レール手段の前記開閉口の端部側に位置する一端側に前記扉体を係止する係止手段を設けた、請求項１又は請求項２に記載の扉装置。
【請求項４】
前記扉体が前記開閉口の端部に衝突する際の衝撃を和らげるためのショックアブソーバ手段を更に備える、請求項１〜３のいずれかに記載の扉装置。
【請求項５】
前記扉体に、前記扉体が前記開閉口を閉じた状態で、前記扉体を前記開閉口に施錠するための施開錠手段を更に設けた、請求項１〜４のいずれかに記載の扉装置。
【請求項６】
前記開閉口を覆うカーテンを、前記開閉口に更に設けた、請求項１〜５のいずれかに記載の扉装置。
【発明の詳細な説明】
【技術分野】
【０００１】
本発明は、扉装置に関し、特に、例えば、車椅子等に乗っている人にとって、使い勝手のよい、トイレ等の場所に用いるのに適した、扉装置に関する。
【背景技術】
【０００２】
扉装置としては、扉体を吊り車によって開閉自在に支持したものがある。
【０００３】
図４は、そのような従来の扉装置の一例を概略的に示す正面図である。
【０００４】
この扉装置１０１は、開閉口（入出口）Ｅの上部に設けられたレール手段１０２と、扉体１０３とを備える。
【０００５】
扉体１０３の上部には、吊り車１０４が設けられている。
【０００６】
そして、吊り車１０４は、レール手段１０２上を転動するようにされている。
【０００７】
また、レール手段１０２には、吊り車１０４の中、開閉口（入出口）Ｅの端部ｅＥに最も近い側に位置する吊り車１０４が、扉体１０３が開閉口（入出口）Ｅを閉塞した状態時に係合する凹部１０６を備える。
【０００８】
この扉装置１０１は、通常、以下のようにして使用されている。
【０００９】
この扉装置１０１では、通常、開閉口（入出口）Ｅを閉じた状態にされている。
【００１０】
そして、従来の扉装置１０１は、トイレその他の部屋に何らかの用事（例えば、用便等）があって、その部屋に入る者は、その部屋に入る際に、扉体１０３を開いて、開閉口（入出口）Ｅからその部屋の中に入り、その部屋の中に入った後、再び、扉体１０３で開閉口（入出口）Ｅを閉じた状態にし、その部屋内での用事（例えば、用便等）が済んだ後、扉体１０３を開いて、その部屋から外に出て、扉体１０３で開閉口（入出口）Ｅを閉じた状態にするようにして使用されるのが、普通である。
【特許文献１】特開平５−９８８６６号公報
【発明の開示】
【発明が解決しようとする課題】
【００１１】
しかしながら、従来の扉装置１０１は、健常人にとっては、プライバシーを守り且つ使用勝手の良いものではあるが、例えば、車椅子等に乗っている人にとっては、プライバシーを守ることはできても、使い勝手の面では、非常に不便なものである。
【００１２】
即ち、例えば、車椅子等に乗っている者が、トイレその他の部屋に何らかの用事（例えば、用便等）があって、その部屋に入る際には、まず、閉じられた状態になっている扉体１０３の近傍位置まで、車椅子等に乗った状態で接近し、次いで、扉体１０３を開けるのに都合の良い方向に、車椅子等の方向転換を行い、その後、車椅子等に取り付けられているストッパーを用いて車椅子等を固定し、扉体１０３を開き、車椅子等に取り付けられているストッパーを解除し、開閉口（入出口）Ｅから目的とする部屋内に移動し、その後、扉体１０３を閉じるのに都合の良い方向に、車椅子等の方向転換を行い、車椅子等に取り付けられているストッパーを用いて車椅子等を固定し、扉体１０３を閉じた状態にしてから、車椅子等に取り付けられているストッパーを解除・固定等し、車椅子等での移動や方向転換や停止等を繰り返して、その部屋内での用事（例えば、用便等）を済ませる。
【００１３】
その後、例えば、車椅子等に乗っている者は、閉じられた状態になっている扉体１０３の近傍位置まで、車椅子等に乗った状態で接近し、次いで、扉体１０３を開けるのに都合の良い方向に、車椅子等の方向転換を行い、その後、車椅子等に取り付けられているストッパーを用いて車椅子等を固定し、扉体１０３を開き、車椅子等に取り付けられているストッパーを解除し、用事の済んだ部屋から開閉口（入出口）Ｅを通って、室外に出て、その後、扉体１０３を閉じるのに都合の良い方向に、車椅子等の方向転換を行い、車椅子等に取り付けられているストッパーを用いて車椅子等を固定し、扉体１０３を閉じた状態に戻してから、車椅子等に取り付けられているストッパーを解除して、次の目的場所等へ移動する、ということが必要になる。
【００１４】
特に、用便等で急いでいる者にとって、例えば、扉装置１０１の扉体１０３を開閉する際に、車椅子等に取り付けられているストッパーを用いて車椅子等を固定することを忘れたような場合には、扉体１０３を開閉する際に扉体１０３に加える力方向と逆方向の力（抗力）が車椅子等に加わり、車椅子等が、扉体１０３を開閉する際に扉体に加える力方向と逆方向に移動してしまいするなど、車椅子等に乗っている者は、早く用便等を済ませたいという気持ちとは裏腹に、長時間、扉体１０３を開閉するために、扉体１０３と格闘しなければならない、といった事態に陥ることがある。
【００１５】
また、従来の扉装置の中には、扉体の自重等により、扉体が常時閉じられた状態になるようにされているものもあるが、この種の扉装置は、車椅子等に乗っている者が、閉じられた状態になっている扉体の近傍位置まで、車椅子等に乗った状態で接近し、次いで、扉体を開けるのに都合の良い方向に、車椅子等の方向転換を行い、その後、車椅子等に取り付けられているストッパーを用いて車椅子等を固定し、扉体を開き、次に、開かれた状態になっている開閉口（入出口）から、目的とする部屋内に入るために、車椅子等に取り付けられているストッパーを解除しようとして、扉体から手を離すと、扉体が、その自重により、開閉口（入出口）を閉じるように移動し、車椅子等に乗っている者は、扉体を再び開くために、早く用便等を済ませたいという気持ちとは裏腹に、長時間、扉体を開閉するために、扉体と格闘しなければならない、といった事態に陥ることがある。
【００１６】
本発明は、以上のような問題を解決するためになされたものであって、特に、車椅子等に乗っている者等にとって、プライバシーを守り且つ使用勝手の良い扉装置を提供することを目的としている。
【課題を解決するための手段】
【００１７】
請求項１に記載の扉装置は、開閉口の上部に設けたレール手段と、レール手段に沿って転動する吊り車を上部に有する扉体とを備え、レール手段を、レール手段の開閉口の端部側に位置する一端に比べて、レール手段の開閉口の端部側に位置する一端の反対側の他端が低くなるように、傾斜するように設けた。
【００１８】
請求項２に記載の扉装置は、請求項１に記載の扉装置の、レール手段の開閉口の端部側に位置する一端の近傍位置に、扉体牽引手段を設け、牽引手段の扉体を引っ張る力を、扉体が、重力により、レール手段に沿って、レール手段の開閉口の端部側に位置する一端の反対側の他端に移動する力に比べ、やや弱い力関係を満たすようにした。
【００１９】
請求項３に記載の扉装置は、請求項１又は請求項２に記載の扉装置の、レール手段の開閉口の端部側に位置する一端側に扉体を係止する係止手段を設けた。
【００２０】
請求項４に記載の扉装置は、請求項１〜３のいずれかに記載の扉装置の、扉体が開閉口の端部に衝突する際の衝撃を和らげるためのショックアブソーバ手段を更に備える。
【００２１】
請求項５に記載の扉装置は、請求項１〜４のいずれかに記載の扉装置の、扉体に、扉体が開閉口を閉じた状態で、扉体を開閉口に施錠するための施開錠手段を更に設けた。
【００２２】
請求項６に記載の扉装置は、請求項１〜５のいずれかに記載の扉装置の、開閉口を覆うカーテンを、開閉口に更に設けた。
【発明の効果】
【００２３】
請求項１に記載の扉装置では、レール手段を、レール手段の開閉口の端部側に位置する一端に比べて、レール手段の開閉口の端部側に位置する一端の反対側の他端が低くなるように、傾斜するように設けているので、扉体は、常時、開いた状態になる。
【００２４】
このため、例えば、この扉装置を、トイレその他の部屋の開閉口（入出口）に設けた場合には、車椅子等に乗っている者は、扉体が最初から開いた状態になっているので、トイレその他の部屋内に入る際に、扉体を開く必要がなくなる。
【００２５】
即ち、この扉装置には、車椅子等に乗っている者等にとって、使用勝手が良い、という効果がある。
【００２６】
且つ、この扉装置には、必要な場合には、開閉口（入出口）を扉体を用いて閉めることができるので、プライバシーも守れる、という効果がある。
【００２７】
請求項２に記載の扉装置では、扉体牽引手段を設け、牽引手段の扉体を引っ張る力を、扉体が、重力により、レール手段に沿って、レール手段の開閉口の端部側に位置する一端の反対側の他端に移動する力に比べ、やや弱い力関係を満たすようにしているので、扉体は、常時、開いた状態になる。
【００２８】
更に、この扉装置では、扉体牽引手段をレール手段の開閉口の端部側に位置する一端の近傍位置に設けているので、開閉口を扉体で閉める際に、あまりおおきな力を必要としないので、簡単に、開閉口を扉体で閉めることができる。
【００２９】
請求項３に記載の扉装置では、レール手段の開閉口の端部側に位置する一端側に扉体を係止手段を設けているので、開閉口を扉体で閉めた状態にして、この係止手段に扉体を係止するようにすることで、開閉口を扉体で閉めた状態に維持できる。
【００３０】
即ち、この扉装置には、必要な場合には、開閉口（入出口）を扉体を用いて閉めた状態に維持できるので、プライバシーも守れる、という効果がある。
【００３１】
請求項４に記載の扉装置では、扉体が開閉口の端部に衝突する際の衝撃を和らげるためのショックアブソーバ手段を設けたので、扉体で開閉口を閉じる際に、人がその指手その他の身体を、扉体と開閉口の端部との間に挟んで怪我をするといったような事態を防止できる。
【００３２】
請求項５に記載の扉装置では、通常の扉装置と同様、扉体に、施開錠手段を設け、扉体により開閉口を閉じた状態で、扉体を開閉口に施錠することができるので、そのようにすることで、プライバシーを守ることができる。
【００３３】
請求項６に記載の扉装置では、開閉口をカーテンで覆っているので、開閉口を扉体を用いて閉めた状態にしなくても、カーテンにより、部屋内が外部から見えることがない。
【００３４】
即ち、この扉装置には、必要な場合には、カーテンにより、部屋内が外部から見えないようにできるので、プライバシーも守れる、という効果がある。
【００３５】
のみならず、カーテンだけで開閉口を覆うのではなく、開閉口を何時でも必要により閉じた状態にできる扉体があるので、この装置をトイレその他の部屋の開閉口（入出口）に設けた場合には、トイレ内で用便をする際その他部屋内で行うことを部屋外の第三者に知られたくないような場合の安心感を得ることができるといった心理効果を、この装置の利用者に与えることができる。
【発明を実施するための最良の形態】
【００３６】
以下、本発明に係る扉装置の一例を、図面を参照しながら、更に、詳しく説明する。
【００３７】
（発明の実施の形態１）
図１は、本発明に係る扉装置の一例を概略的に説明する正面図である。
【００３８】
また、図２は、図１に示す扉装置の要部構成を模式的に説明する構成図である。
【００３９】
この扉装置１は、開閉口（入出口）Ｅの上部に設けられたレール手段２と、扉体３とを備える。
【００４０】
扉体３は、その上部に、吊り車（図２に示す吊り車）４を備える。
【００４１】
この吊り車４は、レール手段２に沿って転動するようになっている。
【００４２】
尚、図１中、Ｈで示す部材は、扉体３を開閉する際に人が利用するハンドル部を示している。
【００４３】
この扉装置１の以上の構成は、従来の扉装置１０１と同様であるが、この扉装置１は、以下の構成を備えている点で、従来の扉装置１０１とは、その構成が異なっている。
【００４４】
まず、この扉装置１では、レール手段２を、レール手段２の開閉口（入出口）Ｅの端部側に位置する一端ｅ２ａに比べて、レール手段２の開閉口（入出口）Ｅの端部側に位置する一端ｅ２ａの反対側の他端ｅ２ｂが低くなるように、傾斜するように設けている。
【００４５】
また、この扉装置１は、レール手段２の開閉口（入出口）Ｅの端部側に位置する一端ｅ２ａの近傍位置（より詳しくは、レール手段２の開閉口（入出口）Ｅの端部側に位置する一端ｅ２ａの近傍位置の上部）に、扉体牽引手段５を備える。
【００４６】
この例では、扉体牽引手段５として、ワイヤ手段５ａと、ワイヤ手段巻取り装置５ｂとを備えるものを用いている。
【００４７】
ワイヤ手段巻取り装置５ｂは、ワイヤ手段５ａを巻き取るワイヤ巻取りローラ部５ｂ１と、弾性体（この例では、渦巻きバネ）（図示せず。）と、ワイヤ巻取りローラ部５ｂ１及び弾性体（この例では、渦巻きバネ）（図示せず。）を収容する筐体５ｂ３と備える。
【００４８】
弾性体（この例では、渦巻きバネ）（図示せず。）は、筐体５ｂ３に固定的に設けられた軸体（図示せず。）と、軸体（図示せず。）に回転可能に設けられたワイヤ巻取りローラ部５ｂ１とを接続するように設けられており、ワイヤ巻取りローラ部５ｂ１からワイヤ手段５ａを繰り出すと、これに伴って、弾性体が、弾性変形し、弾性体に付勢力が蓄えられ、ワイヤ手段５ａに加わる力が無くなると、弾性体が元の状態に弾性変形して戻る際の付勢力により、繰り出されたワイヤ手段５ａが、再び、ワイヤ巻取りローラ部５ｂ１に巻き取られるようになっている。
【００４９】
この例では、扉体牽引手段５のワイヤ巻取り力（引っ張る力）を、扉体が、重力により、レール手段に沿って、レール手段の開閉口の端部側に位置する一端の反対側の他端に移動する力に比べ、やや弱い力関係を満たすようにしている。
【００５０】
より具体的に説明すると、この例では、扉体牽引手段５のワイヤ巻取り力（引っ張る力）をＦ、水平面に対するレール手段２の傾斜角をθ、扉体３の重量をＭ、重力をＧ、扉体３のレール手段２に対する垂直抗力をＮ、レール手段２と扉体３との間に働く摩擦係数をαとすると、ワイヤ巻取り力（引っ張る力）Ｆを、ＭＧｓｉｎθ−αＮよりやや小さい値を満たすようにしている（Ｆ≦ＭＧｓｉｎθ−αＮ）。
【００５１】
更に、この扉装置１は、レール手段２の開閉口（入出口）Ｅの端部側に位置する一端ｅ２ａ側に扉体３を係止する係止手段６を備える。
【００５２】
この係止手段６は、レール手段２又はレール手段２の取付部材に板バネ（図示せず。）を設け、扉体３が開閉口（入出口）Ｅを閉じた状態にした際に、扉体３の上部に設けられている吊り車の中、開閉口（入出口）Ｅの端部ｅＥに最も近い側に位置する吊り車４が、板バネ（図示せず。）の弾性力により弾性係止されるようなものであってもよく、レール手段２に、扉体３が開閉口（入出口）Ｅを閉じた状態にした際に、扉体３の上部に設けられている吊り車の中、開閉口（入出口）Ｅの端部ｅＥに最も近い側に位置する吊り車４が位置する場所に凹部（図示せず。）を設け、扉体３が開閉口（入出口）Ｅを閉じた状態にした際に、扉体３の上部に設けられている吊り車の中、開閉口（入出口）Ｅの端部ｅＥに最も近い側に位置する吊り車４が、凹部（図示せず。）内に嵌合するようにして係止されるようなものであってもよく、又は、扉体３が開閉口（入出口）Ｅを閉じた状態にした際に、扉体３の上部に設けられている吊り車の中、開閉口（入出口）Ｅの端部ｅＥに最も近い側に位置する吊り車４が位置する場所のレール手段２又はレール手段２の取付部材に電磁石手段（図示せず。）を設け、扉体３が開閉口（入出口）Ｅを閉じた状態にした際に、扉体３の上部に設けられている吊り車の中、開閉口（入出口）Ｅの端部ｅＥに最も近い側に位置する吊り車４を磁性体又は磁石で構成し、扉体３が開閉口（入出口）Ｅを閉じた状態にした際に、電磁石（図示せず。）に電流を通電し、磁気的に、扉体３の上部に設けられている吊り車の中、開閉口（入出口）Ｅの端部ｅＥに最も近い側に位置する吊り車４を電磁石（図示せず。）により係止するようなものであってもよく、特に、係止手段の種類や構成が、限定されることはない。
【００５３】
更に、この扉装置１は、扉体３が開閉口（入出口）Ｅの端部ｅＥに衝突する際の衝撃を和らげるためのショックアブソーバ手段７を備える。
【００５４】
この例では、ショックアブソーバ手段７は、シリンダー収容部７ａと、シリンダー収容部から伸縮可能に設けられたシリンダー部７ｂと、吊り車４の台車部に取り付けられた、シリンダー部接触部材７ｃとを備えるものを用いている。
【００５５】
また、この例では、ショックアブソーバ手段７として、空気式のものを用いているが、ショックアブソーバ手段７としては、油圧式、電磁式、スプリングその他の弾性体手段その他の手段を用いることができ、特に、ショックアブソーバ手段の種類や構成が、限定されることはない。
【００５６】
また、この扉装置１には、扉体３に、扉体３が開閉口（入出口）Ｅを閉じた状態で、扉体３を開閉口（入出口）Ｅに施錠するための施開錠手段（図示せず。）が設けられている。
【００５７】
次に、この扉装置１の使用方法を例示的に説明する。
【００５８】
例えば、この扉装置１が、介護老人保健施設等のトイレその他の部屋に設置されている場合を例にとって説明すると、車椅子等に乗っている者が、トイレその他の部屋に何らかの用事（例えば、用便等）があって、その部屋に入る際には、この扉装置１では、トイレその他の部屋の開閉口（入出口）Ｅが、常時、開いた状態になっているので、車椅子等に乗っている者は、車椅子等に乗った状態で、そのまま、トイレその他の部屋の開閉口（入出口）Ｅを通って、トイレその他の部屋内に入ることができる。
【００５９】
即ち、トイレその他の部屋に入る際に、従来の常時閉じた状態にされている扉装置１０１の場合に必要であった、車椅子等に乗った状態で、扉体１０３に接近し、次いで、扉体１０３を開けるのに都合の良い方向に、車椅子等の方向転換を行い、その後、車椅子等に取り付けられているストッパーを用いて車椅子等を固定し、扉体１０３を開き、車椅子等に取り付けられているストッパーを解除し、開閉口（入出口）Ｅから目的とする部屋内に移動するという手間が不要になる。
【００６０】
車椅子等に乗っている者が、トイレその他の部屋に何らかの用事（例えば、用便等）があって、その部屋に入った後、プライバシーを守るために扉体３を用いて開閉口（入出口）Ｅを閉じる際に負担する手間は、従来の常時閉じた状態にされている扉装置１０１の場合に必要であった手間と基本的には同じである。
【００６１】
しかしながら、この扉装置１には、扉体牽引手段５が設けられているので、扉体３が例え重量物であったとしても、小さな力で、扉体３を動かして、開閉口（入出口）Ｅを閉じることができる。
【００６２】
また、この扉装置１には、係止手段５が設けられているので、扉体３を動かして、開閉口（入出口）Ｅを閉じた際に、扉体３が係止手段５に係止されるようになっているので、一旦、扉体３を係止手段５に係止すれば、勝手に、扉体３が、元の状態に戻ることがない。
【００６３】
即ち、この扉装置１には、必要な場合には、開閉口（入出口）Ｅを扉体３を用いて閉めた状態に維持できるので、プライバシーも守れる、という効果がある。
【００６４】
更にまた、この扉装置１には、ショックアブソーバ手段７が設けられているので、扉体３の閉操作を大きな力で又は乱暴に行っても、扉体３が、開閉口（入出口）Ｅを完全に閉じる手前で、扉体３が減速するので、部屋に入る者が、指手その他の身体を扉体３と開閉口（入出口）Ｅの端部ｅＥとの間に挟んで怪我をするといったような事故を防ぐことができる。
【００６５】
更にまた、この扉装置１には、施開錠手段（図示せず。）が設けられているので、扉体３を用いて開閉口（入出口）Ｅを完全に閉じた後、施開錠手段（図示せず。）を施錠することで、プライバシーを守ることができる。
【００６６】
その後、車椅子等に乗っている者は、車椅子等に取り付けられているストッパーを解除・固定等し、車椅子等での移動や方向転換や停止等を繰り返して、その部屋内での用事（例えば、用便等）を済ませる。
【００６７】
その部屋内での用事（例えば、用便等）を済ませた後、車椅子等に乗っている者は、閉じられた状態になっている扉体３の近傍位置まで、車椅子等に乗った状態で接近し、次いで、扉体３を開けるのに都合の良い方向に、車椅子等の方向転換を行い、その後、必要により、車椅子等に取り付けられているストッパーを用いて車椅子等を固定し、扉体３を開く方向に力を加える。
【００６８】
この扉装置１では、扉体３が、その自重により、勝手に、常時、開閉口（入出口）Ｅを開くようにされているので、車椅子等に乗っている者は、閉じられた状態になっている扉体３の近傍位置で、施開錠手段（図示せず。）が、施錠状態になっている場合には、施開錠手段（図示せず。）を開錠状態にし、扉体３が係止手段５によって係止されている場合には、その係止を解除するという少しの作業をするだけで、扉体３が勝手に開くので、用事の済んだ部屋から開閉口（入出口）を通って、室外に出て、その後、次の目的場所等へ移動することができる。
【００６９】
また、この扉装置１では、車椅子等に乗っている者が、扉体３を用いて開閉口（入出口）Ｅを閉じようとしたが、途中で、不都合等により、扉体３の閉め動作をやめた場合、扉体３が、その自重により、勝手に、常時、開閉口（入出口）Ｅを開くようにされているので、部屋に入る者が、指手その他の身体を扉体３と開閉口（入出口）Ｅの端部ｅＥとの間に挟んで怪我をするといったような事故を防ぐことができる。
【００７０】
（発明の実施の形態２）
図３は、本発明に係る扉装置の他の一例を模式的に示す正面図である。
【００７１】
この扉装置１Ａは、扉装置１とは、開閉口（入出口）Ｅを覆うカーテンＣを、開閉口（入出口）Ｅに設けた構成を除けば、同様の構成を備える。
【００７２】
この扉装置１Ａでは、開閉口（入出口）ＥをカーテンＣで覆っているので、開閉口（入出口）Ｅを扉体３を用いて閉めた状態にしなくても、カーテンＣにより、部屋内が外部から見えることがない。
【００７３】
即ち、この扉装置１Ａには、必要な場合には、カーテンＣにより、部屋内が外部から見えないようにできるので、プライバシーも守れる、という効果がある。
【００７４】
のみならず、カーテンＣだけで開閉口（入出口）Ｅを覆うのではなく、開閉口（入出口）Ｅを何時でも必要により閉じた状態にできる扉体３があるので、この装置１Ａをトイレその他の部屋の開閉口（入出口）に設けた場合には、トイレ内で用便をする際その他部屋内で行うことを部屋外の第三者に知られたくないような場合の安心感を得ることができるといった心理効果を、この装置１Ａの利用者に与えることができる。
【００７５】
尚、上記した発明を実施するための最良の形態では、本発明に係る扉装置として、扉体牽引手段５や、係止手段６や、ショックアブソーバ手段７や、施開錠手段（図示せず。）を備える扉装置１、及び、扉装置１に、更に、開閉口（入出口）Ｅを覆うカーテンＣを備える扉装置１Ａについて説明したが、これは、単に、好ましい発明の実施の形態を示したに過ぎず、本発明に係る扉装置は、レール手段２を、レール手段２の開閉口（入出口）Ｅの端部ｅＥ側に位置する一端ｅ２ａに比べて、レール手段２の開閉口（入出口）Ｅの端部ｅＥ側に位置する一端ｅ２ａの反対側の他端ｅ２ｂが低くなるように、傾斜するように設け、扉体３が、常時、開いた状態になるようにされている、扉装置は、いずれも、本発明に係る扉装置の技術的範囲に含まれる。
【００７６】
また、上記した発明を実施するための最良の形態では、本発明に係る扉装置として、扉体の上部に吊り車４が２個設けられているものを図示しているが、扉体の上部に設ける吊り車４の数は、２個に限定されることはなく、必要により２個以上設けられていてよいことは、言うまでもない。
【産業上の利用可能性】
【００７７】
本発明に係る扉装置は、例えば、車椅子等に乗っている者等のプライバシーを守ることができ且つ車椅子等に乗っている者等にとって使い勝手がよいものであるので、例えば、介護老人保健施設、特別養護老人ホーム、病院、リハビリテーション施設、その他、ボーダーフリーにすることが望まれるホテル等の扉装置や、トイレや会議室その他の共用設備や共用施設の扉装置として幅広く、利用できる。
【図面の簡単な説明】
【００７８】
【図１】本発明に係る扉装置の一例を概略的に説明する正面図である。
【図２】図１に示す扉装置の要部構成を模式的に説明する構成図である。
【図３】本発明に係る扉装置の他の一例を模式的に示す正面図である。
【図４】従来の扉装置の一例を概略的に示す正面図である。
【符号の説明】
【００７９】
１、１Ａ  扉装置
２  レール手段
３  扉体
４  吊り車
５  扉体牽引手段
６  係止手段
７  ショックアブソーバ手段
【図１】
2005307503.tif 000003
【図２】
2005307503.tif 000004
【図３】
2005307503.tif 000005
【図４】
2005307503.tif 000006